(57)【要約】【課題】建物の外回りに景観用植物を容易に、迅速に、低コストで設置でき、また、その、容易な仕様変更を可能にする。【解決手段】建物Ａの外回りＢに備えられる景観用植物Ｄの設置方法であって、景観用植物Ｄの植栽されているプランター、鉢等の容器Ｃを受け入れる上面開口１２のボックス状格納体１０を、このボックス状格納体１０における開口縁１３を当該建物Ａにおける外回りＢの設置地面Ｂａに、ほぼ同面をなすように、複数個、埋設用意しておき、当該建物Ａにおける植物の景観仕様にあわせて、該当するボックス状格納体１０に景観用植物Ｄの植栽されている容器Ｃを納め入れて前記景観仕様の植栽景観を作り出すと共に、他のボックス状格納体１０の開口１２を蓋体２０によって塞いで、景観用植物Ｄを設置する。【選択図】図２
2008178346.tif 000002
【特許請求の範囲】
【請求項１】
住宅等の建物の外回りに備えられる景観用植物の設置方法であって、
景観用植物の植栽されているプランター、鉢等の容器を受け入れる上面開口のボックス状格納体を、このボックス状格納体における開口縁を当該建物における外回りの設置地面に、ほぼ同面をなすように、複数個、埋設用意しておき、
当該建物における植物の景観仕様にあわせて、該当するボックス状格納体に景観用植物の植栽されている容器を納め入れて前記景観仕様の植栽景観を作り出すと共に、他のボックス状格納体の開口を蓋体によって塞ぐことを特徴とする景観用植物の設置方法。
【請求項２】
住宅等の建物の外回りに景観用植物を設置するための設置構造であって、
当該建物の外回りに、景観用植物の植栽されているプランター、鉢等の容器を受け入れる上面開口のボックス状格納体を、このボックス状格納体における開口縁を前記建物における外回りの設置地面に、ほぼ同面をなすように、複数個、埋設してあり、  
当該建物における植物の景観仕様にあわせて、該当するボックス状格納体に景観用植物の植栽されている容器を納め入れて前記景観仕様の植栽景観を作り出し、かつ、他のボックス状格納体の開口を蓋体によって塞ぐと共に、
納め入れられている前記容器又は当該容器に植栽されている植物を支承する必要のあるボックス状格納体に、切り込みにより区分された撓み片の撓み込みによって前記容器を前記ボックス状格納体内に受け入れる遮蔽板が備えてあることを特徴とする景観用植物の設置構造。
【発明の詳細な説明】
【技術分野】
【０００１】
この発明は、建物の外回りに備えられる景観用植物を、当該建物における各種の景観仕様にあわせて、容易、かつ、確実に設置することができ、また、随時、随意に、他の景観仕様にあわせて、容易に変更設置することのできる景観用植物の設置方法及び景観用植物の設置構造の開示に関する。
【背景技術】
【０００２】
通例、建物の外回りには、花卉、観賞用庭木、境界や目隠し用生け垣等の各種の植物が植え込まれて、住宅等の外から見た状態における自然な景観や、住宅内から見た屋外の自然な状態における景観等を楽しめるようにしてある。
【０００３】
しかしながら、各建物毎に、それぞれの庭園設計等にもとづき、庭木や、生け垣等を植え込み、各種の花卉をレイアウトし、芝生の敷き込みをなすことは、多くの植栽植物を庭師等の手をかりて植栽、管理する必要があり、設置、及び管理コストが割高となる不具合があった。
【０００４】
また、このように、建物の外回りの地面に植栽する手法にあっては、この建物の外回りにおける景観仕様を変更する場合、植栽されている各種樹木等を掘り起こして、養生移転させる必要があり、また、再度、庭園造成等を施して、これに、各種の樹木等を植栽、養生させる必要があり、建物の外回りにおける景観の変更に、多くのコストと時間とを要する不具合があった。
【０００５】
また、屋上等の人工地盤上にエレベータ等を使用して人力と簡単な運搬具等で運搬し設置できる分割ユニット式庭園として、下面の形状が正方形または長方形の、上方が開口した箱形の四方へ連接可能な合成樹脂製の植物栽培用容器を、複数個一体に配置した各容器内に、真砂土、畑土、砂、鹿沼土、パーライト、パーク堆肥、ビートモス等を適宜配合した軽量の混合土壌を入れ、庭園用に栽培された多種類の植物を植え付け、風で倒れるおそれのある植物には溶接金網に合成樹脂製のバンドで植物の根鉢を固定した植物の倒伏防止装置を取り付け、混合土壌の上層部には滴下ホースにタイマー付きの電磁弁と止水弁を取り付けた自動潅水装置を敷設し、自然の石材と軽量の擬石等を配置して組み立てた庭園を、容器単位に分割して運搬し設置場所において連結して組み立てるようにした分割ユニット式の庭園が提案されている（特許文献１）。
【０００６】
また、モデルハウス内のバルコニーの外側近傍に、実際の居室からの想定される眺望の映像を映写若しくは表示することによって、各居室に応じてその室外環境を擬似体験させるモデルハウス眺望シミュレーションシステムがある。このモデルハウス眺望シミュレーションシステムは、前記バルコニーの外側近傍に設置される受像装置と、予め撮影又は仮想的に作成して用意された実際の居室に対応した高度と方位における、室外の眺望の時刻ないしは季節毎の多種の映像の中から任意の一場面を選択する検索装置と、選択された映像を前記受像装置に映写若しくは表示する映写・表示装置と、を少なくとも有するシミュレーションルームと、該シミュレーションルームの入口の近傍にその出入口が位置するように設置されたスライドアップするシミュレーショ  ンエレベータとを備える構成とするモデルハウス眺望シミュレーションシステムが提案されている（特許文献２）。
【０００７】
【特許文献１】特開２００４−４９１５６公開特許公報
【特許文献２】特開２００４−９３８５１公開特許公報
【発明の開示】
【発明が解決しようとする課題】
【０００８】
この発明は、建物の外回りにおける植物の景観仕様を現実の植物によりシミュレーションする方法であって、随時、随意に、植栽対象とされる植物を設置して当該建物の外回りにおける植物の景観を整えて、これを確認することができ、また、容易に、他の景観仕様に適合するように設置植物を変更設置することのできる景観用植物の設置方法及び景観用植物の設置構造の提供を目的としている。
【課題を解決するための手段】
【０００９】
請求項１に記載の発明は、前記課題を解決するために、住宅等の建物の外回りに備えられる景観用植物の設置方法であって、
景観用植物の植栽されているプランター、鉢等の容器を受け入れる上面開口のボックス状格納体を、このボックス状格納体における開口縁を当該建物における外回りの設置地面に、ほぼ同面をなすように、複数個、埋設用意しておき、
当該建物における植物の景観仕様にあわせて、該当するボックス状格納体に景観用植物の植栽されている容器を納め入れて前記景観仕様の植栽景観を作り出すと共に、他のボックス状格納体の開口を蓋体によって塞ぐことを特徴とする景観用植物の設置方法としてある。
【００１０】
かかる景観用植物の設置方法にあっては、建物の外回りに前もって埋設状態に用意されている複数個のボックス状格納体を用いて、当該建物に予定される植物の景観仕様にあわせて、各種植物を、それぞれの位置に、地面の掘削、埋め込み等を行うことなく、容易に、かつ、迅速に設置することができ、また、自然な植栽状態に設置することができる。
【００１１】
また、かかる景観用植物の設置方法にあっては、いったん、建物に適合するように設置した各種庭木等の植物を、当該植物の掘り起こしや、再植え込み等をすることなく他の景観仕様にあわせて、容易に設置し直すことができ、設置されている建物の設置環境を随時変更することができ、一定期間毎に設置環境を変更したり、四季に合わせて変更したり、あるいは、特定の目的に合わせて変更することができる。
【００１２】
また、かかる景観用植物の設置方法にあっては、容器に植栽されている植物を当該容器に植栽した状態で用いることから、植栽植物の植え込み時における養生管理や、植え替え時における養生管理等の煩わしさがなく、また、庭師等の専門家を必要とすることがない。
【００１３】
特に、花卉類は、これを四季おりおりに、変更設置することで、建物の周辺環境を季節感に溢れた状態に整えることができる。
【００１４】
かかる景観用植物の設置方法は、例えば、モデルハウスの外回りに植物を設置する方法等として好都合に用いることができる。
【００１５】
また、請求項２に記載の発明は、住宅等の建物の外回りに景観用植物を設置するための設置構造であって、
当該建物の外回りに、景観用植物の植栽されているプランター、鉢等の容器を受け入れる上面開口のボックス状格納体を、このボックス状格納体における開口縁を前記建物における外回りの設置地面に、ほぼ同面をなすように、複数個、埋設してあり、  
当該建物における植物の景観仕様にあわせて、該当するボックス状格納体に景観用植物の植栽されている容器を納め入れて前記景観仕様の植栽景観を作り出し、かつ、他のボックス状格納体の開口を蓋体によって塞ぐと共に、
納め入れられている前記容器又は当該容器に植栽されている植物を支承する必要のあるボックス状格納体に、切り込みにより区分された撓み片の撓み込みによって前記容器を前記ボックス状格納体内に受け入れる遮蔽板が備えてあることを特徴とする景観用植物の設置構造としてある。
【００１６】
かかる景観用植物を設置するための設置構造にあっては、建物の外回りに前もって埋設状態に用意されている複数個のボックス状格納体を用いて、当該建物に予定される植物の景観仕様にあわせて、各種植物を、それぞれの位置に、地面の掘削、埋め込み等を行うことなく、容易に、かつ、迅速に設置され、また、自然な植栽状態に設置される。
【００１７】
また、かかる景観用植物の設置構造にあっては、いったん、建物に適合するように設置した各種庭木等の植物を、当該植物の掘り起こしや、再植え込み等をすることなく他の景観仕様にあわせて、容易に設置し直し、設置されている建物の設置環境を随時変更し、一定期間毎に設置環境を変更し、四季に合わせて変更し、あるいは、特定の目的に合わせて変更できる。
【００１８】
また、かかる景観用植物の設置構造にあっては、容器に植栽されている植物を当該容器に植栽した状態で用いることから、植栽植物の植え込み時における養生管理や、植え替え時における養生管理等の煩わしさがなく、また、庭師等の専門家を必要とすることがない。
【００１９】
特に、花卉類は、これを四季おりおりに、変更設置することで、建物の周辺環境を季節感に溢れた状態に整えることができる。
【００２０】
また、かかる景観用植物の設置構造にあっては、ボックス状格納体に納め入れられる容器、又は、この容器に植栽されている植物が、切り込みによって区分されている撓み片によって支承され、当該ボックス状格納体に容器の納め入れられている景観用植物の転倒が防止される。
【００２１】
かかる景観用植物の設置構造は、例えば、モデルハウスの外回りに植物を設置する景観用植物の設置構造等として好都合に用いることができる。
【発明の効果】
【００２２】
この発明に係る景観用植物の設置方法にあっては、建物の外回りにおける地面環境等に関係無く、各種態様の植栽景観を、容易に、かつ、迅速に、しかも、低コストで、随時、随意に作りだすことができると共に、必要に応じて、随時、随意に、他の植栽態様に、容易に、かつ、迅速に、低コストで変更することができる。また、この発明に係る景観用植物の設置構造にあっては、建物の外回りにおける地面環境等に関係無く、各種態様の植栽景観を、容易に、かつ、迅速に、しかも、低コストで、随時、随意に構成することができると共に、必要に応じて、随時、随意に、他の植栽態様に、容易に、かつ、迅速に、低コストで変更することができる。従って、本発明は庭園イメージを容易に実現できると共に、レイアウトの変更が容易なため、実現された庭園を見た際の人間の生理・心理的変化を評価する用途に用いることができるものである。
【発明を実施するための最良の形態】
【００２３】
以下、図１〜図９にもとづいて、この発明を実施するための最良の形態に係る景観用植物の設置方法、及び、景観用植物の設置構造について説明する。
【００２４】
なお、ここで図１は、当該発明を実施するための最良の形態に係る典型的な景観用植物の設置構造の一部を斜め上方から見て示しており、図２は、当該景観用植物の設置構造の要部を上方から見て、図３は、景観用植物Ｄを設置するための設置構造を構成する典型的なボックス状格納体１０を遮蔽板３０及び蓋体２０と共に斜め上方から見て、図４は、建物Ａの外回りＢに設置したボックス状格納体１０に遮蔽板３０と蓋体２０とを装着した状態の要部を断面して示しており、図５は、かかるボックス状格納体１０に景観用植物Ｄを植栽した容器Ｃを受け入れて当該建物Ａの外回りＢに景観用植物Ｄを設置した状態の要部を断面して示している。
【００２５】
図６及び図７は、他のボックス状格納体１０を示すものであって、図６では、当該ボックス状格納体１０を遮蔽板３０及び蓋体２０と共に斜め上方から見て、図７は、建物Ａの外回りＢに設置した当該ボックス状格納体１０に景観用植物Ｄの植栽されている容器Ｃを受け入れて当該建物Ａの外回りＢに景観用植物Ｄを設置した状態の要部を断面して示している。
【００２６】
図８及び図９は、さらに、他のボックス状格納体１０を示すものであって、図８では、当該ボックス状格納体１０を蓋体２０と共に斜め上方から見て、図９は、建物Ａの外回りＢに設置した当該ボックス状格納体１０に景観用植物Ｄの植栽されている容器Ｃを受け入れて当該建物Ａの外回りＢに景観用植物Ｄを設置した状態の要部を断面して示している。
【００２７】
まず、当該発明を実施するための最良の形態に係る景観用植物Ｄの設置方法は、住宅等の建物Ａの外回りＢに備えられる景観用植物Ｄの設置方法であって、景観用植物Ｄの植栽されているプランター、鉢等の容器Ｃを受け入れる上面開口１２のボックス状格納体１０を、このボックス状格納体１０における開口縁１３を当該建物Ａにおける外回りＢの設置地面Ｂａに、ほぼ同面をなすように、複数個、埋設用意しておき、当該建物Ａにおける植物の景観仕様にあわせて、該当するボックス状格納体１０に景観用植物Ｄの植栽されている容器Ｃを納め入れて前記景観仕様の植栽景観を作り出すと共に、他のボックス状格納体１０の開口１２を蓋体２０によって塞いで、景観用植物Ｄを設置するようにしてある。
【００２８】
また、当該発明を実施するための最良の形態に係る景観用植物Ｄの設置構造は、住宅等の建物Ａの外回りＢに景観用植物Ｄを設置するための設置構造であって、当該建物Ａの外回りＢに、景観用植物Ｄの植栽されているプランター、鉢等の容器Ｃを受け入れる上面開口１２のボックス状格納体１０を、このボックス状格納体１０における開口縁１３を前記建物Ａにおける外回りＢの設置地面Ｂａに、ほぼ同面をなすように、複数個、埋設してあり、当該建物Ａにおける植物の景観仕様にあわせて、該当するボックス状格納体１０に景観用植物Ｄの植栽されている容器Ｃを納め入れて前記景観仕様の植栽景観を作り出し、かつ、他のボックス状格納体１０の開口１２を蓋体２０によって塞ぐと共に、納め入れられている前記容器Ｃ又は当該容器Ｃに植栽されている植物Ｄを支承する必要のあるボックス状格納体１０に、切り込み３１により区分された撓み片３２の撓み込みによって前記容器Ｃを前記ボックス状格納体１０内に受け入れる遮蔽板３０を備える構成としてある。
【００２９】
ここで、景観用植物Ｄの設置対象とされる建物Ａは、住居用住宅の各種住宅、保養施設等の各種施設、レストラン等の各種の業務用施設、モデルハウス等の各種の展示用施設等の、いかなる態様の建物であってもよく、当該建物Ａの外回りＢに景観用植物Ｄの設置の要請される建物Ａであれば、いかなる建物であってもよい。
【００３０】
また、ここで容器Ｃに植栽されている植物Ｄは、当該建物Ａの外回りＢに要請される景観を構成し得る植物であれば、いかなる植物であってもよく、例えば、各種の広葉樹や針葉樹等の各種大きさの樹木類、花卉等の草類などを用いることができる。
【００３１】
また、ここで景観用植物Ｄの植栽されている容器Ｃは、当該景観用植物Ｄを植栽し得るものであれば、いかなる素材からなる容器Ｃであっても、いかなる形状、寸法の容器Ｃであってもよく、例えば、汎用されている各種の鉢類、プランター類であっても、特段に用意された容器Ｃであってもよい。
【００３２】
また、ここで景観用植物Ｄの植栽されている容器Ｃを受け入れるボックス状格納体１０は、上面が開口１２されており、当該開口１２から、前記容器Ｃを当該ボックス状格納体１０内に受け入れ得るものであれば、いかなる素材によって構成してあっても、また、いかなる形状、寸法に構成してあってもよい。
【００３３】
かかるボックス状格納体１０は、例えば、景観用植物Ｄの植栽されている容器Ｃを受け入れて変形しない素材、構造を備えるものとして用意される各種大きさのボックス状格納体１０とすることができる。かかるボックス状格納体１０は、例えば、ゴム、木質板、スポンジ、ダンボール、プラスチック、コンクリート、鉄、ステンレス、レンガ等の各種素材で構成することができ、耐久性等からコンクリート製、レンガ製のボックス状格納体１０が好ましい一例とされる。
【００３４】
なお、このボックス状格納体１０には、当該ボックス状格納体１０の開口１２から降り込む雨水、流入する雨水等を当該ボックス状格納体１０外に導き出す各種の手段を講じておくことが好ましい。かかる貯留雨水等は、例えば、排水溝が近接して存在する場合には当該ボックス状格納体１０を排水溝に連通するように設置し、また、排水溝が存在しない場合や、ボックス状格納体１０が比較的小型である場合には、当該ボックス状格納体１０内に貯留される雨水等を当該ボックス状格納体１０から、短時間で排出し得る排水孔を、その底部等に設けるようにする。
【００３５】
また、当該ボックス状格納体１０の開口１２を塞ぐ手段として用意される蓋体２０は、このボックス状格納体１０の開口１２を都合よく塞ぎ得るものであれば、いかなる素材によって構成してあっても、いかなる構造のものであってもよい。例えば、ゴム、木質板、スポンジ、ダンボール、プラスチック、コンクリート、鉄、ステンレス等で構成することができる。かかる蓋体２０は、自動車等の重量物の乗り込み位置にあっては、これをコンクリート製、鉄製とすることが好ましく、歩行者や自転車の乗り込み位置にあっては、コンクリート製、鉄製、硬質ゴム製、木質板製、プレスチック製、ステンレス製の蓋体２０等を用いることができる。また、ボックス状格納体１０の設置位置関係で、蓋体２０上に人が立ち入ることがなく、また、重量物の置かれる可能性の無い部分の蓋体２０は、これを、例えば、ダンボール製、スポンジ製とすることができる。
【００３６】
かかる蓋体２０は、建物Ａの外回りＢに備えられているボックス状格納体１０にあって、景観用植物Ｄを植栽した容器Ｃを納め入れ用いないボックス状格納体１０の開口１２を塞ぐことによって、建物Ａの外回りＢにおける自然な景観を作り出すと共に、当該ボックス状格納体１０に落ち込む等の不具合を回避するように用いる。
【００３７】
かかる点から、例えば、ボックス状格納体１０の開口１２を蓋体２０で塞ぐと共に、この蓋体２０上と、これに連続した周面を天然ないしは人工芝等で覆うようにして外構を構成し、あるいは、蓋体２０を周辺地面に融合し易い色調のものとして用意することで、より自然な植物の植栽空間を演出することができる。
【００３８】
また、ここで用いられる遮蔽板３０は、切り込み３１により区分された撓み片３２の撓み込みによって前記容器Ｃを前記ボックス状格納体１０内に受け入れ得る構成、すなわち、当該切り込み３１によって区分される各撓み片３２の撓みだしにより容器Ｃを取り込み得る開口部を備える構成としてあり、しかも、この撓み片３２によって、容器Ｃに植栽されている景観用植物Ｄ、または、景観用植物Ｄの植栽されている容器Ｃを支承し得る構成を備えたものであれば、いかなる素材によって構成してあっても、また、いかなる構造に構成してあってもよい。
【００３９】
かかる遮蔽板３０は、例えば、ゴム、木質板、スポンジ、ダンボール、プラスチック等の素材で構成することができる。特に、ゴム系素材として、例えば、ブチルゴムのような反発性の低いゴムを除く、天然ゴム、スチレンブタジェンゴム、ポリブタジェンゴム、ポリイソプレンゴム、フッ素ゴム、イソプレンゴム、水素化ニトリルゴム、グロロプレンゴム、ブタジェンゴム、テトリルゴム、アクリロニトリルゴム、アクリルゴム、エチレンプロピレンゴム、ウレタンゴム、シリコンゴム、多硫化ゴム、クロルスルホン化ポリエチレンゴム、エビクロルヒドリンゴム等を素材にして好適な遮蔽板３０を構成することができる。
【００４０】
また、この遮蔽板３０に備えられる切り込み３１は、当該切り込み３１によって区分される撓み片３２を撓ませるようにしながら、ボックス状格納体１０内に、景観用植物Ｄの植栽されている容器Ｃを受け入れる開口部を構成する構造に設けてあれば、いかなる、構造に設けられた切り込みであってもよく、例えば、中心部から複数本の放射線状をなす切り込みや、中央部で交差する二本の切り込み線からなる切り込みや、遮蔽板３０の板厚方向に貫通して備えられている孔を中心にして、当該孔から放射方向に延びる切り込み線からなる切り込み等、いかなる構造に構成してあってもよい。
【００４１】
かかる遮蔽板３０は、当該切り込み３１によって区分される撓み片３２の撓み戻しによって、この遮蔽板３０を備えるボックス状格納体１０内に受け入れた容器Ｃ、又は、この容器Ｃに植栽されている景観用植物Ｄを支承するように機能する。
【００４２】
かかる景観用植物Ｄの設置方法、及び、景観用植物Ｄの設置構造にあっては、建物Ａの外回りＢに前もって埋設状態に用意されている複数個のボックス状格納体１０を用いて、当該建物Ａに予定される植物の景観仕様にあわせて、各種植物を、それぞれの位置に、地面の掘削、埋め込み等を行うことなく、容易に、かつ、迅速に設置することができ、また、自然な植栽状態に設置することができる。
【００４３】
また、いったん、建物Ａに適合するように設置した各種庭木等の植物を、当該植物の掘り起こしや、再植え込み等をすることなく他の景観仕様にあわせて、容易に設置し直すことができ、設置されている建物Ａの設置環境を随時変更することができ、一定期間毎に設置環境を変更したり、四季に合わせて変更したり、あるいは、特定の目的に合わせて変更することができる。
【００４４】
また、容器Ｃに植栽されている植物Ｄを当該容器Ｃに植栽した状態で用いることから、植栽植物の植え込み時における養生管理や、植え替え時における養生管理等の煩わしさがなく、また、庭師等の専門家を必要とすることがない。
【００４５】
特に、花卉類は、これを四季おりおりに、変更設置することで、建物Ａの周辺環境を季節感に溢れた状態に整えることができる。
【００４６】
また、ボックス状格納体１０に納め入れられる容器Ｃ、又は、この容器Ｃに植栽されている植物Ｄが、切り込み３１によって区分されている撓み片３２によって支承される遮蔽板３０を備えることによって、当該ボックス状格納体１０に納め入れられている容器Ｃに植栽されている景観用植物Ｄの転倒が防止される。
【００４７】
かかる景観用植物Ｄの設置方法、及び、景観用植物Ｄの設置構造は、例えば、モデルハウスの外回りＢに植物Ｄを設置する際に、好適に用いることができる。
【００４８】
かかる景観用植物Ｄの設置方法、及び、景観用植物Ｄの設置構造を図１及び図２にもとづいて説明する。
【００４９】
図１及び図２は、外構の要部を斜視並びに平面視で示しており、住宅等の建物Ａの外回りＢに景観用植物Ｄを設置するためのボックス状格納体１０を、複数個、前もって、埋設用意する。
【００５０】
ここで、建物Ａの外回りＢに前もって埋設用意される各種のボックス状格納体１０は、例えば、図３〜図５、図６及び図７、図８及び図９等の各種の構造を備えるものとして用意する。ここで用意されるボックス状格納体１０は、当該建物Ａの外回りＢに、当該建物Ａに相応しい態様の景観を、植物Ｄの設置によって作りだし得るに必要な各種形態の、かつ、必要数のものを用意し、この用意された、各ボックス状格納体１０を、当該建物Ａの外回りＢに、各種の植物景観を作りだし得るように、前もって埋設用意する。
【００５１】
かかる建物Ａの外回りＢに埋設用意されるボックス状格納体１０は、それぞれのボックス状格納体１０における開口縁１３を当該建物Ａの外回りＢにおける設置地面Ｂａに、ほぼ同面となるように埋設し、建物Ａの外回りＢの地面が一様の景観をなすようにしてあり、この埋設、用意された各ボックス状格納体１０の全部又は一部を用いて、各景観仕様に合わせて、対応するボックス状格納体１０に、各仕様にもとづく景観用植物Ｄの植栽されている容器Ｃを納め入れて、当該建物Ａの外回りＢに景観用植物Ｄを設置する。
【００５２】
かかる建物Ａの外回りＢに埋設設置されるボックス状格納体１０について、更に、具体的に説明する。この図示例にあっては、建物Ａの外回りＢに境界ブロックＥ、門Ｆ、当該門Ｆから玄関に到る通路Ｇと、各設置植物Ｄ等によって外構の主要部が構成してある。
【００５３】
図３〜図５に示されるボックス状格納体１０は、比較的大型の景観用植物Ｄの植栽されている容器Ｃを複数個の受け入れて当該建物Ａの外回りＢに所定の植物景観を作りだすものであって、長方形状をなす底板部１０ａと長手縁に沿って当該底板部１０ａから起立されている互いに向きあった側板部１０ｂと、底板部１０ａの短手縁から起立されて当該各側板部１０ｂ間を塞ぐ互いに向きあった側板部１０ｂとで、上面開口１２のボックス状に構成してある。
【００５４】
また、このボックス状格納体１０は、各側板部１０ｂにおける上端部を、内側を欠切状の嵌め合い部とする薄肉部１０ｂ’を備える構成としてあり、この各薄肉部１０ｂ’の内側下端に当該各側板部１０ｂをわたって周回段部１１を備える構成としてある。
【００５５】
このボックス状格納体１０に備えられる周回段部１１の深さは、当該周回段部１１上に載せ置かれる遮蔽板３０及び蓋体２０が建物Ａの外回りＢの地面Ｂａに同面となるように、すなわち、当該ボックス状格納体１０の開口１２を塞ぐように遮蔽板３０を嵌め込み、ついで、この遮蔽板３０上に当該ボックス状格納体１０の開口１２を塞ぐように嵌め込んだ蓋体２０の上面が、このボックス状格納体１０における各側板部１０ｂの上端面と、ほぼ同面となるようにしてある。
【００５６】
かかる構成からなるボックス状格納体１０は、底板部１０ａに当該底板部１０ａの下面側から下方に向けて突設されている筒部１４を一体に備えており、底板部１０ａの上面から当該筒部１４の下端面間にわたって排水孔１８が設けてあり、この排水孔１８に連通するように排水パイプ１７を前記筒部１４に適宜の管継ぎ手によって接続してある。なお、この排水孔１８の目詰まり等を防ぐ意図で、当該排水孔１８の孔周辺部の底板部１０ａに環状凹部１５を設けておき、これに目皿１６を嵌め入れるようにしてある。
【００５７】
かかるボックス状格納体１０を前記排水パイプに筒部１４を接続させて、建物Ａの外回りＢに、このボックス状格納体１０における開口縁１３が、この外回りＢの地面Ｂａと同面となるように埋設、用意し、これに、必要に応じて、景観用植物Ｄの植栽されている容器Ｃを納め入れて用いる。また、必要に応じて、この埋設、用意されているボックス状格納体１０の開口１２に遮蔽板３０と蓋体２０とを嵌め入れて当該開口１２を塞いだ状態にして用いる。
【００５８】
この図示例に係るボックス状格納体１０は、当該ボックス状格納体１０における前記周回段部１１に遮蔽板３０を載せ置くように嵌め入れて、ボックス状格納体１０の開口１２を塞ぎ、この開口１２を塞ぐ遮蔽板３０を介して、景観用植物Ｄの植栽されている容器Ｃを当該ボックス状格納体１０内に納め入れるようにしてある。
【００５９】
かかる遮蔽板３０は、前記周回段部１１に載せ置かれて、ボックス状格納体１０における開口１２を塞ぐと共に、この遮蔽板３０に備えられている切り込み３１によって区分された撓み片３２を撓めながら、景観用植物Ｄの植栽されている容器Ｃを当該ボックス状格納体１０外から、このボックス状格納体１０内に押し入れ得る構成としてあり、しかも、この撓み片３２によって、このボックス状格納体１０内に受け入れられた容器Ｃ、又は、この容器Ｃに植栽されている景観用植物Ｄを支承して、当該ボックス状格納体１０内に受け入れた容器Ｃに植栽されている景観用植物Ｄの転倒を防止し得る機能を備えたものが用いられる。
【００６０】
例えば、比較的厚い板状のゴム系素材で、当該遮蔽板３０を構成し、これに、景観用植物Ｄの植栽されている容器Ｃを受け入れるための切り込み３１を設け、この切り込み３１によって区分された撓み片３２が、当該容器Ｃを受け入れ、かつ、受け入れた容器Ｃ、又は、この容器Ｃに植栽されている景観用植物Ｄを支承する大きさを備えるようになす。
【００６１】
この図示例にあっては、一点で交差するように備えられる複数本の直線状の切り込み３１、すなわち、中央から四方に放射状に備えられる切り込み３１を設け、この切り込み３１によって、中央側で鋭角となる平面視で三角形状をなす複数個の撓み片３２を備える容器Ｃの取り込み開口部を構成してあり、この各撓み片３２を、その先端側から前記容器Ｃによって撓ませるようにして当該容器Ｃをボックス状格納体１０内に受け入れるようにしてある。
【００６２】
この図示例にあっては、前記容器Ｃの通過された遮蔽板３０における各撓み片３２は、当該撓み片３２の備える弾性によって復帰され、この容器Ｃに植栽されている景観用植物Ｄを支承するように機能し、また、同時に、ボックス状格納体１０の開口１２を塞ぐように機能する。
【００６３】
この結果、ボックス状格納体１０内に納め入れられた容器Ｃが当該遮蔽板３０によって覆い隠され、しかも、この容器Ｃに植栽されている景観用植物Ｄの転倒が防止される。
【００６４】
また、かかる建物Ａの外回りＢに設置されているボックス状格納体１０であって、当該建物Ａに対する植物の当該景観仕様に該当しないボックス状格納体１０には、図４に示すように蓋体２０を、前記遮蔽板３０上に重ね合わせるように嵌め入れて、この蓋体２０によって、ボックス状格納体１０の上面が建物Ａの外回りＢにおける地面Ｂａと同面をなすようにし、建物Ａの外回りＢの景観を良好になすと共に、このボックス状格納体１０上における歩行動作等を安全になし得るようにする。また、必要に応じて、この蓋体２０を取り除いて、遮蔽板３０における切り込み３１を活用して、随時、随意に、このボックス状格納体１０内に、景観用植物Ｄを植栽してある容器Ｃを納め入れ用いることができる。
【００６５】
この図示例に係る蓋体２０は、例えば、比較的耐荷重性を備える比較的厚手の各種ボード類を用いて構成してある。
【００６６】
図６及び図７に示されるボックス状格納体１０は、景観用植物Ｄの植栽されている容器Ｃを一個だけ受け入れる形状、大きさに構成してあり、比較的大きな景観用植物Ｄの設置や、ワンポイント的な景観用植物Ｄの設置に用いるようにした以外の構成を前記図３〜図５に示されるボックス状格納体１０と実質的に同一の構成としてあり、同一の方法で建物Ａの外回りＢに設置して、同様の態様で用いられる。
【００６７】
従って、前記図３〜図５に示されるボックス状格納体１０と同一又は実質的に同一の構成部分に同一の番号を付して、その説明を省略する。
【００６８】
この図６及び図７に示されるボックス状格納体１０は、円形をなす底板部１０ａの外周縁から、上方に向けて、やや外開き状態に側板部１０ｂが起立した状態に設けてあり、この側板部１０ｂの上端部が一旦、外側に向けて屈曲された後、上方に向けて屈曲されており、この屈曲張出板部１０ｃと当該屈曲張出板部１０ｃからの起立板部１０ｄとで、周回段部１１を構成してあって、この周回段部１１に遮蔽板３０と蓋体２０とを載せ置くように嵌め入れて、当該ボックス状格納体１０の開口１２を塞ぎ得るように構成してある。
【００６９】
図８及び図９に示されるボックス状格納体１０は、景観用植物Ｄの植栽されている容器Ｃを一個だけ受け入れる形状、大きさに構成してあると共に、遮蔽板３０を備えずに直接、ボックス状格納体１０内に、景観用植物Ｄの植栽されている容器Ｃを納め入れて用いるようにした以外の構成を前記図３〜図７に示されるボックス状格納体１０と実質的に同一の構成としてあり、同一の方法で建物Ａの外回りＢに設置して、同様の態様で用いられる。
【００７０】
従って、前記図３〜図５に示されるボックス状格納体１０と同一又は実質的に同一の構成部分に同一の番号を付して、その説明を省略する。
【００７１】
この図８及び図９に示されるボックス状格納体１０は、長方形状をなす底板部１０ａの各辺部から、上方に向けて、やや外開き状態に各側板部１０ｂが起立した状態に設けてあり、この各側板部１０ｂの上端部が一旦、外側に向けて屈曲された後、上方に向けて屈曲されており、この屈曲張出板部１０ｃと当該屈曲張出板部１０ｃからの起立板部１０ｄとで、周回段部１１を構成してあって、この周回段部１１の深さが、蓋体２０の厚さと、ほぼ同寸としてあり、この周回段部１１に載せ置くように嵌め込まれた蓋体２０が、建物Ａの外回りＢにおける設置地面Ｂａと、ほぼ同面をなすようにしてあり、また、このボックス状格納体１０内に、極力、隙間を生じないように各種の容器Ｃ、例えば、花卉類の植栽されているプランター等を納め入れ用いるものであって、典型的には、このプランター等の容器Ｃにおける縁部を前記周回段部１１内に納め入れうるようにして、建物Ａの外回りＢにおける設置地面Ｂａと同面状態に花卉等の植栽植物Ｄを設置し得るようにしてある。
【図面の簡単な説明】
【００７２】
【図１】典型的な景観用植物の設置方法での設置状態及び景観用植物の設置構造を示す要部斜視図
【図２】同平面図
【図３】同要部部品の分離斜視図
【図４】同要部断面図
【図５】同要部部品を埋設し景観用植物を設置した状態を示す断面図
【図６】同他の要部部品の分離斜視図
【図７】同要部部品を埋設し景観用植物を設置した状態を示す断面図
【図８】同他の要部部品の分離斜視図
【図９】同要部部品を埋設し景観用植物を設置した状態を示す断面図
【符号の説明】
【００７３】
Ａ  建物
Ｂ  外回り
Ｂａ  地面
Ｃ  容器
Ｄ  植物
Ｄ  洗面脱衣室
１０  ボックス状格納体
１２  開口
１３  開口縁
２０  蓋体
３０  遮蔽板
３１  切り込み
３２  撓み片
【図１】
2008178346.tif 000003
【図２】
2008178346.tif 000004
【図３】
2008178346.tif 000005
【図４】
2008178346.tif 000006
【図５】
2008178346.tif 000007
【図６】
2008178346.tif 000008
【図７】
2008178346.tif 000009
【図８】
2008178346.tif 000010
【図９】
2008178346.tif 000011